(57)【要約】【課題】  建物ユニット等のラーメン構造のフレームとしての剛性を簡易に強化して水平荷重に対する耐力を向上すること。【解決手段】  柱２１と梁２２を剛接合した建物のラーメン構造において、柱脚２１Ａと天井梁２２の中間部の間に斜材６１を設けたもの。【選択図】  図８
2005113461.tif 000002
【特許請求の範囲】
【請求項１】
柱と梁を剛接合した建物のラーメン構造において、
柱脚と天井梁の中間部の間、又は柱頭と床梁の中間部の間に斜材を設けたことを特徴と
する建物のラーメン構造。
【請求項２】
柱と梁を剛接合して構成したラーメン構造体からなる建物ユニットにおいて、
柱脚と天井梁の中間部の間、又は柱頭と床梁の中間部の間に斜材を設けたことを特徴と
する建物ユニット。
【請求項３】
柱と梁を剛接合して構成したラーメン構造体からなる複数の建物ユニットを互いに接続
し、上階建物ユニットの床梁と下階建物ユニットの天井梁を上下に重ねたユニット建物に
おいて、
建物ユニットの柱脚と天井梁の中間部の間、又は柱頭と床梁の中間部の間に斜材を設け
たことを特徴とするユニット建物。
【請求項４】
柱と梁を剛接合して構成したラーメン構造体からなる複数の建物ユニットを互いに接続
し、最下階建物ユニットの柱脚を基礎に剛接合し、上階建物ユニットの床梁と下階建物ユ
ニットの天井梁を上下に重ねたユニット建物において、
最下階建物ユニットの柱脚と天井梁の中間部の間に斜材を設けたことを特徴とするユニ
ット建物。
【請求項５】
前記斜材を柱脚と天井梁の中間部のそれぞれにピン接合し、又は柱頭と床梁の中間部の
それぞれにピン接合した請求項３又は４に記載のユニット建物。
【発明の詳細な説明】
【技術分野】
【０００１】
本発明は建物のラーメン構造及び建物ユニット並びにユニット建物に関する。
【背景技術】
【０００２】
特許文献１に記載の如く、柱と梁を剛接合して構成したラーメン構造体からなる建物ユ
ニットのフレーム剛性を強化するため、その天井梁と床梁の間に台形状の補強フレームを
設けるものがある。
【特許文献１】特開平8-199689
【発明の開示】
【発明が解決しようとする課題】
【０００３】
特許文献１では、建物ユニットの天井梁と床梁の間に台形状の補強フレームを設けるも
のであり、補強フレームが水平材の両端に斜材を予め接合した複雑な部材になるし、補強
フレームの水平材が建物ユニットの天井梁に重複する。
【０００４】
本発明の課題は、建物ユニット等のラーメン構造のフレームとしての剛性を簡易に強化
して水平荷重に対する耐力を向上することにある。
【課題を解決するための手段】
【０００５】
請求項１の発明は、柱と梁を剛接合した建物のラーメン構造において、柱脚と天井梁の
中間部の間、又は柱頭と床梁の中間部の間に斜材を設けたものである。
【０００６】
請求項２の発明は、柱と梁を剛接合して構成したラーメン構造体からなる建物ユニット
において、柱脚と天井梁の中間部の間、又は柱頭と床梁の中間部の間に斜材を設けたもの
である。
【０００７】
請求項３の発明は、柱と梁を剛接合して構成したラーメン構造体からなる複数の建物ユ
ニットを互いに接続し、上階建物ユニットの床梁と下階建物ユニットの天井梁を上下に重
ねたユニット建物において、建物ユニットの柱脚と天井梁の中間部の間、又は柱頭と床梁
の中間部の間に斜材を設けたものである。
【０００８】
請求項４の発明は、柱と梁を剛接合して構成したラーメン構造体からなる複数の建物ユ
ニットを互いに接続し、最下階建物ユニットの柱脚を基礎に剛接合し、上階建物ユニット
の床梁と下階建物ユニットの天井梁を上下に重ねたユニット建物において、最下階建物ユ
ニットの柱脚と天井梁の中間部の間に斜材を設けたことを特徴したものである。
【０００９】
請求項５の発明は、請求項３又は４の発明において更に、前記斜材を柱脚と天井梁の中
間部のそれぞれにピン接合し、又は柱頭と床梁の中間部のそれぞれにピン接合したもので
ある。
【発明の効果】
【００１０】
（請求項１）
(a)ラーメン構造体において、柱脚と天井梁の中間部の間（又は柱頭と床梁の中間部の
間）に斜材を設けたことにより、ラーメン構造体のフレームの１隅である柱と天井梁の一
部が斜材とともに形成する直角三角形を不変形体（不変形トラス）とする。これにより、
ラーメン構造体における天井梁の見かけ長さ（天井梁の全長から不変形トラス部分を除い
た変形部分長さ）を短くしてそのフレーム剛性を強化し、水平荷重に対する耐力を向上で
きる。
【００１１】
ラーメン構造体の柱と梁のフレームを生かしながら、斜材を付加するだけの簡易な構成
により、上述の不変形体（不変形トラス）を形成でき、簡易に上述のフレーム剛性の強化
を実現できる。
【００１２】
斜材のみによるフレーム剛性補強であるから、建物ユニット等のラーメン構造体におけ
る開口の形成などに、あまり邪魔にならず、比較的大きな開口の形成ができる。
【００１３】
（請求項２）
(b)建物ユニットの柱脚と天井梁の中間部の間（又は柱頭と床梁の中間部の間）に斜材
を設けたことにより、ラーメン構造体のフレームの１隅である柱と天井梁の一部が斜材と
ともに形成する直角三角形を不変形体（不変形トラス）とする。これにより、建物ユニッ
トにおける天井梁の見かけ長さ（天井梁の全長から不変形トラス部分を除いた変形部分長
さ）を短くしてそのフレーム剛性を強化し、水平荷重に対する耐力を向上できる。
【００１４】
ラーメン構造体の柱と梁のフレームを生かしながら、斜材を付加するだけの簡易な構成
により、上述の不変形体（不変形トラス）を形成でき、簡易に上述のフレーム剛性の強化
を実現できる。
【００１５】
斜材のみによるフレーム剛性補強であるから、建物ユニット等のラーメン構造体におけ
る開口の形成などに、あまり邪魔にならず、比較的大きな開口の形成ができる。
【００１６】
（請求項３）
(c)ユニット建物において、建物ユニットの柱脚と天井梁の中間部の間（又は柱頭と床
梁の中間部の間）に斜材を設けたことにより、ラーメン構造体のフレームの１隅である柱
と天井梁の一部が斜材とともに形成する直角三角形を不変形体（不変形トラス）とする。
これにより、建物ユニットにおける天井梁の見かけ長さ（天井梁の全長から不変形トラス
部分を除いた変形部分長さ）を短くしてそのフレーム剛性を強化し、水平荷重に対する耐
力を向上できる。
【００１７】
ラーメン構造体の柱と梁のフレームを生かしながら、斜材を付加するだけの簡易な構成
により、上述の不変形体（不変形トラス）を形成でき、簡易に上述のフレーム剛性の強化
を実現できる。
【００１８】
斜材のみによるフレーム剛性補強であるから、建物ユニット等のラーメン構造体におけ
る開口の形成などに、あまり邪魔にならず、比較的大きな開口の形成ができる。
【００１９】
（請求項４）
(d)ユニット建物において、最下階建物ユニットの柱脚と天井梁の中間部の間に斜材を
設けたことにより、ラーメン構造体のフレームの１隅である柱と天井梁の一部が斜材とと
もに形成する直角三角形を不変形体（不変形トラス）とする。これにより、最下階建物ユ
ニットにおける天井梁の見かけ長さ（天井梁の全長から不変形トラス部分を除いた変形部
分長さ）を短くしてそのフレーム剛性を強化し、水平荷重に対する耐力を向上できる。
【００２０】
ラーメン構造体の柱と梁のフレームを生かしながら、斜材を付加するだけの簡易な構成
により、上述の不変形体（不変形トラス）を形成でき、簡易に上述のフレーム剛性の強化
を実現できる。
【００２１】
斜材のみによるフレーム剛性補強であるから、建物ユニット等のラーメン構造体におけ
る開口の形成などに、あまり邪魔にならず、比較的大きな開口の形成ができる。
【００２２】
（請求項５）
(e)斜材を柱と梁のそれぞれにピン接合することにより、ラーメン構造体のフレームの
１隅に前述の不変形体（不変形トラス）を簡易に形成でき、斜材の取付仕口を簡素化でき
る。
【発明を実施するための最良の形態】
【００２３】
図１はユニット建物を示す模式斜視図、図２は構法Ｉが適用された建物ユニットを示す
模式正面図、図３は構法Ｉの具体的構造を示す断面図、図４は構法IIが適用されたユニッ
ト建物を示す模式正面図、図５は構法IIの具体的構造を示し、（Ａ）は正面図、（Ｂ）は
断面図、図６は構法IIの梁の剛性強化原理を示し、（Ａ）は梁の変形状態を示す模式図、
（Ｂ）は梁単位モデルを示す模式図、（Ｃ）はラーメン構造体モデルを示す模式図、図７
は構法IIのユニットフレームの剛性強化原理を示し、（Ａ）は梁の変形状態を示す模式図
、（Ｂ）はラーメン構造体モデルを示す模式図、図８は構法IIIが適用された建物ユニッ
トを示し、（Ａ）は最下階建物ユニットを示す正面図、（Ｂ）は上階建物ユニットを示す
正面図、図９は構法IIIのフレームの剛性強化原理を示す模式図、図１０は構法IIIのフレ
ームの剛性強化例を示す模式図である。
【実施例】
【００２４】
図１のユニット建物１は、基礎１０に最下階建物ユニット２０を支持し、最下階建物ユ
ニット２０の上に順に上階建物ユニット３０、４０を搭載して構築されたものである。
【００２５】
基礎１０は、図２、図３に示す如く、コンクリート製ベタ基礎１１にアンカーボルト１
２を用いて鋼製基礎構造体１３を固定し、この基礎構造体１３の上部に最下階建物ユニッ
ト２０を支持する。
【００２６】
最下階建物ユニット２０は、４本の角鋼管製柱２１の上端部間に形鋼製天井梁２２を架
け渡し、天井梁２２の端部を柱２１の上端部に剛接合して構成したラーメン構造体である
。柱２１の上端部にジョイント金物２２Ａ（図５）を溶接し、ジョイント金物２２Ａに天
井梁２２の端部が溶接される。尚、最下階建物ユニット２０は、柱２１の下端部間に架け
渡される形鋼製床梁２３を更に有し、床梁２３の端部を柱２１の下端部に剛接合するもの
でも良い。
【００２７】
上階建物ユニット３０（４０も同じ）は、４本の角鋼管製柱３１（４１）の上端部間に
形鋼製天井梁３２（４２）を架け渡し、天井梁３２の端部を柱３１の上端部に剛接合する
とともに、柱３１の下端部間に形鋼製床梁３３（４３）を架け渡し、床梁３３の端部を柱
３１の下端部に剛接合して構成したラーメン構造体である。柱３１の上端部と下端部にジ
ョイント金物３２Ａ（不図示）、３３Ａ（図５）を溶接し、ジョイント金物３２Ａ、３３
Ａのそれぞれに天井梁３２、床梁３３の端部が溶接される。
【００２８】
ユニット建物１にあっては、最下階建物ユニット２０と上階建物ユニット３０の間で、
最下階建物ユニット２０の天井梁２２と上階建物ユニット３０の床梁３３が上下に重ね配
置され、上階建物ユニット３０と上階建物ユニット４０の間で、上階建物ユニット３０の
天井梁３２と上階建物ユニット４０の床梁４３が上下に重ね配置される。
【００２９】
しかるに、ユニット建物１は、構法Ｉ、II、IIIのそれぞれが適用されて剛性強化され
る。
【００３０】
（構法Ｉ）（図２、図３）
構法Ｉは、基礎１０と最下階建物ユニット２０の間にて適用され（図１）、最下階建物
ユニット２０の柱２１の柱脚２１Ａが基礎１０に略ずれないように接合される（図２）。
【００３１】
基礎１０は、図３に示す如く、基礎構造体１３の上端部に取付金物１４を溶接にて固定
してあり、最下階建物ユニット２０の柱脚２１Ａに溶接にて固定した取付金具２４が高力
ボルト１５によってその取付金物１４に略ずれないように接合される。
【００３２】
構法Ｉによれば、ユニット建物１において、最下階建物ユニット２０の柱脚２１Ａを基
礎１０に略ずれないように接合したことにより、基礎１０に対する柱脚２１Ａの回転が抑
えられ、建物ユニット２０の水平剛性を向上できる。建物ユニット２０の水平剛性を上げ
るために、柱２１の断面を強化する必要がないし、中柱や水平ブレースを付加する必要も
なく、建物ユニット２０のプランの自由度を増し、コスト低減できる。
【００３３】
（構法II）（図４〜図７）
構法IIは、最下階建物ユニット２０の天井梁２２と上階建物ユニット３０の床梁３３の
間、及び／又は上階建物ユニット３０の天井梁３２と上階建物ユニット４０の床梁４３の
間で適用される（図１）。以下、最下階建物ユニット２０の天井梁２２と上階建物ユニッ
ト３０の床梁３３の間への適用について説明する。
【００３４】
最下階建物ユニット２０の天井梁２２と上階建物ユニット３０の床梁３３の鉛直荷重（
床荷重）に対する梁の剛性強化のために、天井梁２２と床梁３３の両端部同士を剛接合部
Ｒ1、Ｒ2にて略ずれないように接合する（図４）。
【００３５】
また、最下階建物ユニット２０と上階建物ユニット３０の水平荷重に対するフレームの
剛性強化のために、上述の剛接合部Ｒ1、Ｒ2に加え、天上梁２２と床梁３３の長手方向の
中間部（本実施例では中央部）同士を剛接合部Ｒ3にて略ずれないように接合する（図４
）。
【００３６】
剛接合部Ｒ1〜Ｒ3は、図４に模式的に示した如く、４本の線材にて構成しても良いが、
図５に示すプレート５０を用いることができる。プレート５０は、天井梁２２のウエブｗ
と床梁３３のウエブｗに添設され、２本の高力ボルト５１、５１で天井梁２２のウエブｗ
に、２本の高力ボルト５２、５２で床梁３３のウエブｗに締結される。図５のプレート５
０は左右に相隣る最下階建物ユニット２０、２０の天井梁２２、２２、及び上階建物ユニ
ット３０、３０の床梁３３、３３により両側から挟まれるものを示したが、プレート５０
は各１個の建物ユニット２０、３０の天井梁２２、床梁３３に片側だけを添設するもので
も良い。プレート５０は溶接接合されるものでも良い。
【００３７】
尚、プレート５０は、天井梁２２のフランジｆと床梁３３のフランジｆに添設し、高力
ボルト又は溶接接合でそれらのフランジｆ、ｆに締結され、天井梁２２と床梁３３を略ず
れないように接合するものでも良い。
【００３８】
構法IIによれば、ユニット建物１において、上階建物ユニット３０の床梁３３と下階建
物ユニット２０の天井梁２２である、上下に重ねた２本の梁２２、３３の両端部同士を剛
接合部Ｒ1、Ｒ2によって略ずれないように接合したことにより、２本の梁２２、３３が鉛
直荷重の作用下で湾曲変形するとき、２本の梁２２、３３の両端部の位相差が抑えられる
（図６（Ａ））。これにより、２本の梁２２、３３は、各梁２２、３３の断面性能Ｉ1、
Ｉ2の和（Ｉ1＋Ｉ2）よりも大きな断面性能α（Ｉ1＋Ｉ2）を発現して剛性を強化され、
鉛直荷重に対する耐力を向上できる。尚、構法IIによるこの梁剛性強化メリットのために
は、剛接合部Ｒ3を具備することを必要としない。
【００３９】
２本の梁２２、３３だけからなる梁単体モデル（図６（Ｂ））では、本発明が適用され
ない通常モデルに対し、約2.6倍の耐力を示す。２本の梁２２、３３の両端部に柱２１、
３１が剛接合されたラーメン構造体モデル（図６（Ｃ））では、通常モデルに対し、1.3
〜1.4倍の耐力を示す。尚、図６（Ｂ）、（Ｃ）において、天井梁２２、床梁３３の中央
部の間に設けられているＳは、天井梁２２と床梁３３の隙間を埋めるスペーサであり、床
梁３３に作用した床荷重を天井梁２２に伝達可能にするものである。
【００４０】
また、構法IIでは、ユニット建物１において、上階建物ユニット３０の床梁３３と下階
建物ユニット２０の天井梁２２である、２つのラーメン構造体の上下に重ね配置された２
本の梁２２、３３の両端部同士を剛接合部Ｒ1、Ｒ2によって略ずれないように接合し、か
つ中間部同士を剛接合部Ｒ3によって略ずれないように接合したことにより、一方の建物
ユニット３０の柱３１に作用する水平荷重Ｐによって２本の梁２２、３３がＳ字変形する
とき、２本の梁２２、３３の両端部と中間部の位相差が抑えられる（図７（Ａ））。これ
により、建物ユニット２０、３０のフレーム強度が拡大し、水平荷重に対する耐力を向上
できる。
【００４１】
本発明による建物ユニット２０、３０のフレーム剛性は、本発明が適用されない通常モ
デルに対し、約1.3倍になる（図７（Ｂ））。
【００４２】
構法IIにおいて、上階建物ユニット３０の床梁３３と下階建物ユニット２０の天井梁２
２を略ずれないように接合する構造は、それらの床梁３３のウエブｗと天井梁２２のウエ
ブｗに添うプレート５０、又はそれらの床梁３３のフランジｆと天井梁２２のフランジｆ
に添うプレート５０を用いて簡易に実施できる。プレート５０をウエブｗに添設するもの
の方が、建物ユニット２０、３０のフレーム強度を向上できる。
【００４３】
（構法III）（図８〜図１０）
構法IIIは、最下階建物ユニット２０の柱２１の柱脚２１Ａと天井梁２２の中間部の間
、上階建物ユニット３０（４０も同じ）の柱３１の柱脚３１Ａと天井梁３２の中間部の間
、又は上階建物ユニット３０（４０も同じ）の柱３１の柱頭３１Ｂと床梁３３の中間部の
間で適用される（図１）。
【００４４】
図８（Ａ）は、最下階建物ユニット２０の柱２１の柱脚２１Ａと天井梁２２の中間部の
間に、斜材６１を設けたものである。斜材６１は、柱２１の柱脚２１Ａと天井梁２２の中
間部のそれぞれにピン接合される（剛接合でも可）。
【００４５】
図８（Ｂ）は、上階建物ユニット３０の柱３１の柱脚３１Ａと天井梁３２の中間部の間
に、斜材６２を設けたものである。斜材６２は、柱３１の柱脚３１Ａと天井梁３２の中間
部のそれぞれにピン接合される（剛接合でも可）。尚、上階建物ユニット３０は床梁３３
のを有しているから、柱３１の柱頭３１Ｂと床梁３３の中間部の間に上述の斜材６２を設
けるものでも良い。
【００４６】
構法IIIによれば、ユニット建物１において、最下階建物ユニット２０の柱脚２１Ａと
天井梁２２の中間部の間に斜材６１を設けたことにより、ラーメン構造体のフレームの１
隅である柱２１と天井梁２２の一部が斜材６１とともに形成する直角三角形を不変形体（
不変形トラス）とする。これにより、建物ユニット２０における天井梁２２の見かけ長さ
Ｌ2（天井梁２２の全長Ｌから不変形トラス部分Ｌ1を除いた変形部分長さＬ2）を短くし
てそのフレーム剛性を強化し、水平荷重Ｐに対する耐力を向上できる（図９）。
【００４７】
また、上階建物ユニット３０（４０も同じ）の柱脚３１Ａと天井梁３２の中間部の間（
又は柱頭３１Ｂと床梁３３の中間部の間）に斜材６２を設けたことにより、ラーメン構造
体のフレームの１隅である柱３１と天井梁３２の一部が斜材６２とともに形成する直角三
角形を不変形体（不変形トラス）とする。これにより、建物ユニット３０における天井梁
３２の見かけ長さＬ2（天井梁３２の全長Ｌから不変形トラス部分Ｌ1を除いた変形部分長
さＬ2）を短くしてそのフレーム剛性を強化し、水平荷重Ｐに対する耐力を向上できる。
【００４８】
ラーメン構造体の柱２１と梁２２のフレーム、柱３１と梁３２、３３のフレームを生か
しながら、斜材６１、６２を付加するだけの簡易な構成により、上述の不変形体（不変形
トラス）を形成でき、簡易に上述のフレーム剛性の強化を実現できる。
【００４９】
斜材６１、６２を柱２１、３１と梁２２、３２（３３）のそれぞれにピン接合すること
により、ラーメン構造体のフレームの１隅に前述の不変形体（不変形トラス）を簡易に形
成でき、斜材６１、６２の取付仕口を簡素化できる。
【００５０】
斜材６１、６２のみによるフレーム剛性補強であるから、建物ユニット２０、３０等の
ラーメン構造体における開口の形成などに、あまり邪魔にならず、比較的大きな開口の形
成ができる。
【００５１】
本発明による建物ユニット２０、３０（４０も同じ）のフレーム剛性は、本発明が適用
されない通常モデルに対し、1.3〜2.0倍になる。建物ユニット２０及び建物ユニット３０
（４０も同じ）において、斜材６１、６２を建物ユニット２０の天井梁２２、建物ユニッ
ト３０の天井梁３２に接合する位置、換言すれば不変形トラス部分Ｌ1の長さを450mm、90
0mmに設定したとき、建物ユニット２０、３０の許容水平荷重Ｐａは、図１０に示す如く
、斜材６１、６２を用いない通常モデルの許容水平荷重Ｐａ（1300kg、900kg）に対して
、建物ユニット２０では1550kg、1700kgに拡大し、建物ユニット３０では1200kg、1400kg
に拡大する。
【００５２】
尚、図１０に示す如く、最下階建物ユニット２０において、左右の柱２１の柱脚２１Ａ
と天井梁２２の左右の中間部のそれぞれとの間に左右の斜材６１、６１を設けても良い。
また、上階建物ユニット３０（４０も同じ）においても、左右の柱３１の柱脚３１Ａ（又
は柱頭３１Ｂ）と天井梁３２（又は床梁３３）の左右の中間部のそれぞれとの間に左右の
斜材６２、６２を設けても良い。これによれば、左右の斜材６１、６１、６２、６２を最
下階建物ユニット２０の天井梁２２、上階建物ユニット３０の天井梁３２に接合して形成
される不変形トラス部分Ｌ1の長さが、例えば450mmの如くに短くても、建物ユニット２０
、３０の許容水平荷重Ｐａを2050kg、1800kgの如くに大きく拡大できる。
【００５３】
尚、本実施例において、「略ずれないように接合」は、「接合部が矩形を維持するよう
に接合する」、「上下の梁の重なり部分がずれないように接合する」等を意味し、剛接合
を含むが、剛接合より弱い接合も含む。また、梁の端部同士の接合は、端部の近傍におけ
る接合も含む。
【００５４】
以上、本発明の実施例を図面により記述したが、本発明の具体的な構成はこの実施例に
限られるものではなく、本発明の要旨を逸脱しない範囲の設計の変更等があっても本発明
に含まれる。例えば、本発明はユニット建物に限らず、広く一般の建物において適用でき
る。
【図面の簡単な説明】
【００５５】
【図１】図１はユニット建物を示す模式斜視図である。
【図２】図２は構法Ｉが適用された建物ユニットを示す模式正面図である。
【図３】図３は構法Ｉの具体的構造を示す断面図である。
【図４】図４は構法IIが適用されたユニット建物を示す模式正面図である。
【図５】図５は構法IIの具体的構造を示し、（Ａ）は正面図、（Ｂ）は断面図である。
【図６】図６は構法IIの梁の剛性強化原理を示し、（Ａ）は梁の変形状態を示す模式図、（Ｂ）は梁単位モデルを示す模式図、（Ｃ）はラーメン構造体モデルを示す模式図である。
【図７】図７は構法IIのユニットフレームの剛性強化原理を示し、（Ａ）は梁の変形状態を示す模式図、（Ｂ）はラーメン構造体モデルを示す模式図である。
【図８】図８は構法IIIが適用された建物ユニットを示し、（Ａ）は最下階建物ユニットを示す正面図、（Ｂ）は上階建物ユニットを示す正面図である。
【図９】図９は構法IIIのフレームの剛性強化原理を示す模式図である。
【図１０】図１０は構法IIIのフレームの剛性強化例を示す模式図である。
【符号の説明】
【００５６】
１  ユニット建物
１０  基礎
２０  最下階建物ユニット
２１、３１、４１  柱
２１Ａ、３１Ａ  柱脚
２２、３２、４２  天井梁
２３、３３、４３  床梁
３０、４０  上階建物ユニット
３１Ｂ  柱頭
６１、６２  斜材
【図１】
2005113461.tif 000003
【図２】
2005113461.tif 000004
【図３】
2005113461.tif 000005
【図４】
2005113461.tif 000006
【図５】
2005113461.tif 000007
【図６】
2005113461.tif 000008
【図７】
2005113461.tif 000009
【図８】
2005113461.tif 000010
【図９】
2005113461.tif 000011
【図１０】
2005113461.tif 000012